(57)【要約】【課題】額縁マット等と絵画との接触によって絵画が変形したり、損傷したりすることを防止できるようにした絵画用スペーサ、それを備えたパネル体及び額縁マットまたは額縁に入れられた絵画を提供する。【解決手段】絵画用スペーサ１は、パネル体４に描かれた油絵２００がパネル体４を入れる額縁マット３に接触することを防止する。絵画用スペーサ１は、パネル体４の側面４１に取り付けることができ、先端部がパネル体４に描かれた絵２００よりも突出すると共に上記収容部３１の内面３２１に当接することによって、上記油絵２００と額縁マット３との間に所要の隙間Ｓを設けることができる。【選択図】図４
2007202774.tif 000002
【特許請求の範囲】
【請求項１】
パネル体(4)に描かれた絵(200)が該パネル体(4)を入れる額縁マット(3)または額縁に接触することを防止するための絵画用スペーサであって、
パネル体(4)の側面(41)に取り付けることができ、先端部がパネル体(4)に描かれるまたは描かれた絵(200)よりも突出すると共に上記額縁マット(3)または額縁のパネル体(4)を入れる部分の内面(321)に当接することによって、上記絵(200)と額縁マット(3)または額縁との間隔を保つように構成されているか、上記絵(200)と額縁マット(3)または額縁との間に所要の隙間(S)を設けることができるように構成されている、
絵画用スペーサ。
【請求項２】
パネル体(4)に描かれた絵(200)が該パネル体(4)を入れる額縁マット(3)または額縁に接触することを防止するための絵画用スペーサであって、
パネル体(4)の側面(41)に取り付けるための手段(11,11)(18,52)(19)(19c)と、
先端部がパネル体(4)に描かれるまたは描かれた絵(200)よりも突出すると共に上記パネル体(4)を入れる部分の内面(321)に当接することによって、上記絵(200)と額縁マット(3)または額縁との間隔を保つように構成されているか、上記絵(200)と額縁マット(3)または額縁との間に所要の隙間(S)を設けることができるように構成された突出部(12)(13)(14)(15)(12a)(12b)(12c)と、
を備えている、
絵画用スペーサ。
【請求項３】
パネル体(4)に描かれた絵(200)が該パネル体(4)を入れる額縁マット(3)または額縁に接触することを防止するための絵画用スペーサであって、
上記パネル体(4)の側面(41)に取り付けるための締付固定具用の孔(11,11)(18,52)(19c)または切欠部(19)と、
先端部がパネル体(4)に描かれるまたは描かれた絵(200)よりも突出すると共に上記パネル体(4)を入れる部分の内面(321)に当接することによって、上記絵(200)と額縁マット(3)または額縁との間隔を保つように構成されているか、上記絵(200)と額縁マット(3)または額縁との間に所要の隙間(S)を設けることができるように構成された突出部(12)(13)(14)(15)(12a)(12b)(12c)と、
を備えている、
絵画用スペーサ。
【請求項４】
突出部(12)(13)(14)(15)は異なる長さまたは／及び幅で複数設けてあり、パネル体(4)に対する絵画用スペーサ(1)の取り付け向きを変えることによって、パネル体(4)に描かれるまたは描かれた絵(200)から突出する突出部(12)(13)(14)(15)の長さまたは／及びまたは幅を変えられるように構成されている、
請求項２または３記載の絵画用スペーサ。
【請求項５】
パネル体(4)に描かれるまたは描かれた絵(200)から突出する突出部(12a)(12b)(12c)の長さまたは／及び幅を調整することができる手段を備えている、
請求項２または３記載の絵画用スペーサ。
【請求項６】
請求項１ないし５のいずれかに記載の絵画用スペーサ(1)(1a)(1b)(1c)を備えている、
絵画用スペーサを備えたパネル体。
【請求項７】
絵(200)が描かれたパネル体(4)と、
該パネル体(4)を入れる額縁マット(3)または額縁と、
該額縁マット(3)または額縁に上記パネル体に描かれた絵(200)が接触することを防止するために上記パネル体(4)に取り付けてある絵画用スペーサ(1)(1a)(1b)(1c)とを備えており、
上記絵画用スペーサは、パネル体(4)の側面(41)に取り付けることができ、先端部が上記絵(200)よりも突出すると共に上記額縁マット(3)または額縁のパネル体(4)を入れる部分の内面(321)に当接することによって、上記絵(200)と額縁マット(3)または額縁との間隔を保つように構成されているか、上記絵(200)と額縁マット(3)または額縁との間に所要の隙間(S)を設けることができるように構成されている、
額縁マットまたは額縁に入れられた絵画。
【発明の詳細な説明】
【技術分野】
【０００１】
本発明は、絵画用スペーサ、それを備えたパネル体及び額縁マットまたは額縁に入れられた絵画に関する。
更に詳しくは、額縁マットまたは額縁（以下、「額縁マット等」という場合がある）と絵画との接触によって、絵画が変形したり損傷したりすることを防止できるようにした絵画用スペーサ、それを備えたパネル体及び額縁マットまたは額縁に入れられた絵画に関する。
【背景技術】
【０００２】
油絵は、油絵具を盛り上げたり、削ったりといった、油絵具特有のマチエールを生かした多彩な表現が可能である。マチエールとは「絵肌」とも称され、油絵具が有する独特の材質的効果を意味しており、作家の筆致の痕跡であって作品の命とも言える。
【０００３】
図１３は、カンバス９１が張られた張り枠９２と、これらを額縁９５に収めるために使用される額縁マット９３を説明するための部分拡大断面説明図を示している。符号９２１は、張り枠９２にカンバス９１を固定するネジを示している。符号９４はカンバス９１に描かれた油絵を示している。
【０００４】
図１３に示すように、通常、油絵９４が描かれた張り枠９２は額縁マット９３に収められ、更にガラス板９６を介在させた状態で額縁９５に入れられて、作品として展示される。なお、通常、張り枠９２と額縁マット９３、額縁マット９３と額縁９５は、虫ピンや細長い釘によって外れないようにそれぞれ固定される。
【０００５】
額縁マット９３は、裏側から張り枠９２を入れるための収容部９３１を備え、表側に形成された開口部９３２の周縁には刃先と称される掛止部９３３が連続的に設けられている。張り枠９２は、この掛止部９３３によって掛止された状態で収容部９３１に収められる。
【０００６】
ところで、油絵具は水彩用絵具と比べて乾燥に時間を要するため、完全に油絵９４を乾燥させるためには十分な時間（最低でも数日〜１０日程度）が必要である。しかしながら、例えば展覧会や個展などの出展期限が間近に迫っており、制作した油絵９４を乾燥させるための時間が十分にとれないような場合は、やむを得ず半乾きのまま作品を額縁マット９３に入れて出展することがある。
【０００７】
しかしながら、油絵９４を半乾きのままで額縁マット９３に入れると、油絵９４の周縁部９４１（図１３参照）が、上記した額縁マット９３の掛止部９３３の裏面９３４に接触し、油絵具が額縁マット９３に付着し、固化してしまう。その結果、後日、油絵９４を額縁マット９３から取り外すときに、額縁マット９３に付着して固化した油絵具がカンバス９１から剥がれてしまい、絵画としての価値が大幅に低下するような事態となる。
【０００８】
このような事態を改善するものとして、油絵９４が額縁マット９３と直接接触する部分、つまり、図１３で示す掛止部９３３の裏面９３４に、離型性能に優れたテープを貼り付けることが提案されている（特許文献１）。
【特許文献１】特開平８−１６８４２５号公報
【発明の開示】
【発明が解決しようとする課題】
【０００９】
しかしながら、特許文献１に記載のものでは次のような課題があった（図１３を参照）。
(1) 即ち、仮に額縁マット９３の掛止部９３３の裏面９３４に、離型性能に優れたテープを貼り付けたとしても、以前として、カンバス９１に描かれた油絵９４がテープという被接触物に接触することは何ら変わりがない。しかも、テープを新たに貼り付けることで掛止部９３３の厚みが増すような結果となり、テープを設ける前と比べて、逆に油絵９４が掛止部９３３側から強く押し付けられやすい。
【００１０】
したがって、油絵９４が半乾きの場合、油絵９４がテープで押し付けられることで、以前として、作品の命とも言えるマチエールが変形し（押し潰され）、作品の価値は著しく低下する可能性が高い。また仮に油絵具が完全に乾いていた場合でも、数週間から数ヶ月と長い期間押し付けられることで、マチエールは変形または密着してしまう可能性が高い。更には、例えばアトリエから展示会場まで油絵を運搬する際の振動によって、油絵９４がテープと何度も接触し、マチエールが擦れて損傷する場合もある。
【００１１】
(2) またテープを使用することで、額縁マット９３の掛止部９３３と油絵９４の周縁部９４１との隙間が殆どなくなってしまう。よって、油絵９４の周縁部９４１に光が殆ど当たらなくなると共に、周縁部９４１が外気とも殆ど接触しないようになる。したがって、月日が経つにつれて、油絵９４の変色具合が周縁部９４１と内側の部分とで微妙に変わっている。このため、額縁マット９３から油絵９４を取り外すと、周縁部９４１と内側の部分との間に、光が当たる所と当たらない所の経年変色による目立った境界線が現れ、絵画としての価値を一層低下させる要因となる。
【００１２】
なお、この経年変色による境界線が仮にできたとしても、油絵９４を額縁マット９３から取り外さなければ問題がないようにも思われる。しかしながら、額縁９５や額縁マット９３は数年、数十年の間に傷んでくるので、交換する必要がある。そして、額縁マット９３の掛止部９３３の幅は製造メーカーによって異なり、更に言えば同じ製造メーカーの同じ型番であっても厳密にはその幅は微妙に異なる。このため、額縁マット９３を新しく交換すると、経年変色で出来た上記境界線が開口部９３２の四辺のいずれかに現れてしまうことがある。
【００１３】
また、例えば同じ作家の絵画を写真にとって画集として収める場合、通常、額縁や額縁マットから作品を外した状態で写真撮影するため、上記したような境界線ができるのはやはり好ましくない。
【００１４】
(3) 更にテープは油絵側ではなく、額縁マット９３に貼り付ける必要があるため、額縁マット９３を新しく交換した場合には、テープも新たに貼り直す必要があり、貼り直し作業が面倒である。
【００１５】
（本発明の目的）
そこで本発明の目的は、額縁マット等と絵画との接触によって絵画が変形したり、損傷したりすることを防止できるようにした絵画用スペーサ、それを備えたパネル体及び額縁マットまたは額縁に入れられた絵画を提供することにある。
【００１６】
本発明の他の目的は、絵画を額縁マット等に取り付けることによって生じる光が当たる所と当たらない所の経年変色を防止できるようにした絵画用スペーサ、それを備えたパネル体及び額縁マットまたは額縁に入れられた絵画を提供することにある。
【００１７】
本発明の他の目的は、従来の離型性能に優れたテープを使用する場合と相違して、額縁マット等を新しく交換した場合でもテープの貼り直し作業のような手間を要さない絵画用スペーサ、それを備えたパネル体及び額縁マットまたは額縁に入れられた絵画を提供することにある。
【００１８】
本発明の他の目的は、上記した目的に加えて、制作後の絵画を重ねて乾燥させることもできるようにした絵画用スペーサ、それを備えたパネル体及び額縁マットまたは額縁に入れられた絵画を提供することにある。
【課題を解決するための手段】
【００１９】
上記目的を達成するために本発明が講じた手段は次のとおりである。
なお、後述する作用の説明の理解を助けるため、図面において使用した符号を括弧を用いて記載しているが、各構成要件を図面記載のものに限定するものではない。
【００２０】
本発明は、パネル体(4)に描かれた絵(200)が該パネル体(4)を入れる額縁マット(3)または額縁に接触することを防止するための絵画用スペーサであって、パネル体(4)の側面(41)に取り付けることができ、先端部がパネル体(4)に描かれるまたは描かれた絵(200)よりも突出すると共に上記額縁マット(3)または額縁のパネル体(4)を入れる部分の内面(321)に当接することによって、上記絵(200)と額縁マット(3)または額縁との間隔を保つように構成されているか、上記絵(200)と額縁マット(3)または額縁との間に所要の隙間(S)を設けることができるように構成されている、絵画用スペーサである。  
【００２１】
本発明は、パネル体(4)に描かれた絵(200)が該パネル体(4)を入れる額縁マット(3)または額縁に接触することを防止するための絵画用スペーサであって、パネル体(4)の側面(41)に取り付けるための手段(11,11)(18,52)(19)(19c)と、先端部がパネル体(4)に描かれるまたは描かれた絵(200)よりも突出すると共に上記パネル体(4)を入れる部分の内面(321)に当接することによって、上記絵(200)と額縁マット(3)または額縁との間隔を保つように構成されているか、上記絵(200)と額縁マット(3)または額縁との間に所要の隙間(S)を設けることができるように構成された突出部(12)(13)(14)(15)(12a)(12b)(12c)と、を備えている、絵画用スペーサである。
【００２２】
本発明は、パネル体(4)に描かれた絵(200)が該パネル体(4)を入れる額縁マット(3)または額縁に接触することを防止するための絵画用スペーサであって、上記パネル体(4)の側面(41)に取り付けるための締付固定具用の孔(11,11)(18,52)(19c)または切欠部(19)と、先端部がパネル体(4)に描かれるまたは描かれた絵(200)よりも突出すると共に上記パネル体(4)を入れる部分の内面(321)に当接することによって、上記絵(200)と額縁マット(3)または額縁との間隔を保つように構成されているか、上記絵(200)と額縁マット(3)または額縁との間に所要の隙間(S)を設けることができるように構成された突出部(12)(13)(14)(15)(12a)(12b)(12c)と、を備えている、絵画用スペーサである。
【００２３】
本発明は、上記突出部(12)(13)(14)(15)が異なる長さまたは／及び幅で複数設けてあり、パネル体(4)に対する絵画用スペーサ(1)の取り付け向きを変えることによって、パネル体(4)に描かれるまたは描かれた絵(200)から突出する突出部(12)(13)(14)(15)の長さまたは／及びまたは幅を変えられるように構成されている、絵画用スペーサである。
【００２４】
本発明は、上記パネル体(4)に描かれるまたは描かれた絵(200)から突出する突出部(12a)(12b)(12c)の長さまたは／及び幅を調整することができる手段を備えている、絵画用スペーサである。
【００２５】
本発明は、上記いずれかに記載の絵画用スペーサ(1)(1a)(1b)(1c)を備えている、絵画用スペーサを備えたパネル体である。
【００２６】
本発明は、絵(200)が描かれたパネル体(4)と、該パネル体(4)を入れる額縁マット(3)または額縁と、該額縁マット(3)または額縁に上記パネル体に描かれた絵(200)が接触することを防止するために上記パネル体(4)に取り付けてある絵画用スペーサ(1)(1a)(1b)(1c)とを備えており、上記絵画用スペーサは、パネル体(4)の側面(41)に取り付けることができ、先端部が上記絵(200)よりも突出すると共に上記額縁マット(3)または額縁のパネル体(4)を入れる部分の内面(321)に当接することによって、上記絵(200)と額縁マット(3)または額縁との間隔を保つように構成されているか、上記絵(200)と額縁マット(3)または額縁との間に所要の隙間(S)を設けることができるように構成されている、額縁マットまたは額縁に入れられた絵画である。
【００２７】
本明細書及び特許請求の範囲にいう「絵（絵画）」の用語は、油絵、日本画、テンペラ画、水彩画、アクリル画、パステル画、フレスコ画、鉛筆画、ペン画、西洋画、イラスト画の用語も含む広い概念として使用している。
【００２８】
本明細書及び特許請求の範囲にいう突出部の「長さまたは／及び幅」には、突出部の長さまたは幅のいずれか一方を含む場合もあるし、あるいは突出部の長さ及び幅の両方を含む場合もある。
【００２９】
本発明は、上記パネル体(4)に描かれた絵(200)から突出する突出部(12a)(12b)の長さまたは幅を調整することができる手段を備えている、絵画用スペーサである。
【００３０】
本発明は、上記のいずれかに記載の絵画用スペーサ(1)(1a)(1b)(1c)を備えている、絵画用スペーサを備えたパネル体である。
【００３１】
（作  用）
本発明に係る絵画用スペーサは、次のように作用する。
絵画用スペーサは、パネル体(4)の側面(41)に取り付けられる。そして、絵(200)が描かれたパネル体(4)を額縁マット(3)または額縁に入れると、絵画用スペーサの先端部がパネル体(4)に描かれた絵(200)よりも突出すると共に上記額縁マット(3)または額縁のパネル体(4)を入れる部分の内面(321)に当接することによって、上記絵(200)と額縁マット(3)または額縁との間隔を保つか、上記絵(200)と額縁マット(3)または額縁との間に所要の隙間(S)を設けることができる。これにより、パネル体(4)に描かれた絵(200)が額縁マット(3)または額縁に接触することを防止できる。したがって、額縁マット等と絵画との接触によって絵画が変形したり、損傷したりすることを防止できる。
【００３２】
また絵(200)と額縁マット(3)または額縁との間隔が保たれるか、上記絵(200)と額縁マット(3)または額縁との間に所要の隙間(S)が設けられることにより、絵(200)の周縁部と額縁マット(3)または額縁との間に隙間(S)が形成される。よって、絵(200)の周縁部にもその隙間(S)から光が当たりやすくなると共に、外気と接触しやすくなる。これにより、絵(200)の周縁部と他の部分との間に、光が当たる所と当たらない所の経年変色による境界線が形成されにくい。
【００３３】
更に、絵画用スペーサは額縁マット(3)または額縁側ではなく、絵(200)を描くパネル体(4)に直接取り付けられる。よって、額縁マット(3)または額縁を新しく交換した場合でも、額縁マット(3)または額縁に絵画用スペーサを改めて付け直す必要はない。したがって、従来の離型性能に優れたテープを使用する場合と相違して、額縁マット等を新しく交換した場合でもテープの貼り直し作業のような手間を要さない。
【００３４】
また更に、絵(200)を描いたパネル体(4)に取り付けた絵画用スペーサによって、他のパネル体を支持するようにすれば、乾燥させるために横にして置いたパネル体の上に、更に別のパネル体を重ねて載置することができる。このようにすれば、絵(200)を描いたパネル体(4)の上に更に別のパネル体(4)を重ねることができるので、制作後の絵画を重ねて乾燥させることができる。
【発明の効果】
【００３５】
本発明は上記構成を備え、次の効果を有する。
（ａ）本発明によれば、パネル体に描かれた絵が額縁マットまたは額縁に接触することを防止できる。したがって、額縁マット等と絵画との接触によって絵画が変形したり、損傷したりすることを防止できる。
【００３６】
（ｂ）また本発明によれば、絵画を額縁マットまたは額縁に取り付けることによって生じる光が当たる所と当たらない所の経年変色を防止できる。
【００３７】
（ｃ）更にまた本発明によれば、従来の離型性能に優れたテープを使用する場合と相違して、額縁マットまたは額縁を新しく交換した場合でもテープの貼り直し作業のような手間を要さない。
【００３８】
（ｄ）また更に、絵を描いたパネル体に取り付けた絵画用スペーサによって、他のパネル体を支持するようにすれば、乾燥させるために横にして置いたパネル体の上に更に別のパネル体を重ねることができる。したがって、専用の乾燥棚等を使用しなくても、制作後の絵画を重ねて乾燥させることができる。
【発明を実施するための最良の形態】
【００３９】
絵画用スペーサは、油絵、日本画、テンペラ画、水彩画、アクリル画、パステル画、フレスコ画、鉛筆画、ペン画、西洋画、イラスト画等の上記した各種の絵（絵画）に好適に使用できる。特に絵具の乾燥に時間を要する油絵、日本画またはテンペラ画用のスペーサとして好適に使用できる。
【００４０】
なお、油絵の場合は、通常、パネル体としてカンバス（画布）が張られた張り枠が使用される。また日本画の場合は、通常、和紙が貼られたパネル体が使用される。その他の絵画では、例えば画紙（画用紙）等のその他の絵を描くシートまたは面を有するパネル体等が好適に使用される。更にテンペラ画の一つである、表面に金箔が施された黄金背景テンペラに絵画用スペーサを使用すれば、金箔の損傷を防止できる。
【００４１】
絵画用スペーサの材料としては、例えば金属、プラスチック、ゴム、木あるいはそれらを組み合わせたもの等や、その他の材料で形成することができる。なお、金属を使用する場合は、錆びにくいことから真鍮、ステンレス、アルミニウム等の金属が好ましい。特に真鍮は錆びにくいと共に、成形が簡単であるため、好適に使用できる。
【００４２】
絵画用スペーサの色は特に限定するものではないが、額縁マットや額縁の内側の色と同じ方が表面から目立たないので好ましい。
【００４３】
絵画用スペーサの形状は、特に限定するものではなく、後述する図面に示す形状以外に例えばＶ字形、「コ」の字形、Ｌ形状、方形、菱形（ダイヤ形）、クローバー形、ハート形、スペード形等の様々な形状を挙げることができる。
【００４４】
以下、本発明を実施例により説明するが、本発明はこれらに限定されるものではない。
【００４５】
本発明を図面に示した実施例に基づき更に詳細に説明する。
【実施例１】
【００４６】
図１ないし図８は、本発明に係る絵画用スペーサの第１の実施例を説明するための図である。
図１は、絵画用スペーサ１の平面視説明図、
図２は、図１に示す絵画用スペーサ１のI−I部分に対応する断面を示す概略説明図、
図３は、カンバス２が張られた小品サイズのパネル体４に絵画用スペーサ１を取り付けた状態を示す斜視説明図、
図４は、絵画用スペーサ１を主に拡大して表した図３の部分拡大側面視説明図、
図５は、カンバス２が張られた中品サイズのパネル体４に絵画用スペーサ１を取り付けた状態を示す部分拡大側面視説明図、
図６は、カンバス２が張られた大品サイズのパネル体４に絵画用スペーサ１を取り付けた状態を示す部分拡大側面視説明である。
【００４７】
図１及び図２に示す絵画用スペーサ１は、図３に示すカンバス２に描かれるまたは描かれた油絵が額縁マット３（図３では図示せず、後述する図７及び図８参照）に接触することを防止するためのものである。なお、油絵２００は図３及び図７では図示を省略しており、図４ないし図６及び後述する図８で図示している。また額縁マット３は、「入れ子」や「インナー」とも称される。
【００４８】
この絵画用スペーサ１は、図３に示すように、枠体４３にカンバス２が張られた木製の張り枠である矩形のパネル体４（以下、「張りカンバス４」という）の厚さ方向の面である側面４１にそれぞれ所要数（本実施例では各側面４１に一つずつ、合計四箇所）取り付けて使用する。なお、各側面４１に二箇所以上取り付けても良い。
【００４９】
絵画用スペーサ１は、例えば厚さ約１ｍｍの真鍮板を電動糸鋸で切り出したり、型体で打ち出したものをヤスリ等で加工することで平板状に形成されている。図１に示すように、絵画用スペーサ１は、平面視で横長の楕円形状の本体部分の幅方向の一方側と他方側にそれぞれ異なる大きさで設けてある突出部１２，１３と、を備えている。以下、説明の便宜上、突出部のうち、小さい方を「第一突出部１２」といい、大きい方を「第二突出部１３」という。第一突出部１２と第二突出部１３は、長辺側のほぼ中央付近に互いに向かい合うようにして配置されている。
【００５０】
絵画用スペーサ１の長手方向の各両側の半円形状部分についても、第一突出部及び第二突出部と同様に、突出部を構成する（以下、この突出部をそれぞれ「第三突出部１４」，「第四突出部１５」という）。なお、絵画用スペーサ１は左右対称に形成されているので、第三突出部１４と第四突出部１５の大きさは同じである。なお、三突出部１４と第四突出部１５の大きさを変えて形成することもできる。
【００５１】
絵画用スペーサ１の厚みは約１ｍｍである。絵画用スペーサ１（図１参照）の長手方向の長さは約２５ｍｍであり、第一突出部１２及び第二突出部１３を含まない短手方向の長さは約１０ｍｍである。
【００５２】
更に、平面視で第一突出部１２の大きさは高さが約３〜４ｍｍ、根本部分の幅が約３〜４ｍｍである。第二突出部１３の大きさは高さが約５〜６ｍｍ、根本部分の幅が約５〜６ｍｍである。つまり、第一突出部１２の根本部分の横幅が短く、第三突出部１４の横幅が長く形成されている。これらの寸法は一つの例示であり、パネル体４の大きさ等に応じて適宜設定できることは言うまでもない。なお、各突出部１２，１３，１４の先端部を山形状に尖らせて形成することもできる。
【００５３】
絵画用スペーサ１は、その長手方向に向かって並設された孔であるネジ孔１１，１１を有している。このネジ孔１１，１１は、締付固定具である締付ネジ５１用の孔である。なお、ネジ孔１１は、図示したものに限定するものではなく、絵画用スペーサ１の中央付近に一個所設けてもよく、あるいは所要の位置に三個所以上設けることもできる。
【００５４】
本実施例では、図４に示すように、木ネジ等の締付ネジ５１として頭部の形状が平らな皿ネジを使用している。符号１１ａは座ぐりを示している。これにより、締付ネジ５１の頭部が絵画用スペーサ１の表面から外へ出ないようにしている。この作用については後述する。そうして、図３及び図４に示すように、締付ネジ５１でネジ止めすることで、絵画用スペーサ１を張りカンバス４の各側面４１，４１，４１，４１に取り付ける。
【００５５】
ところで、油絵のカンバス２は、通常、油絵を描く面積に応じて小品、中品、大作に区別できる。小品とは、Ｆ０号（１８０×１４０ｍｍ）〜Ｆ１０号（５３０×４５５ｍｍ）のものをいう。中品とは、Ｆ１２号（６０６×５００ｍｍ）〜Ｆ５０号（１１６７×９１０ｍｍ）のものをいう。また大作とは、Ｆ６０号（１３０３×９７０ｍｍ）〜Ｆ５００号（３３３３×２４８５ｍｍ）のものをいう。更に張りカンバス４の厚みも同様に異なっており、小品の厚みは約２ｃｍ、中作の厚みは約２．５ｃｍ、大作の厚みは約３ｃｍである。
【００５６】
そして、絵画用スペーサ１ーを実際に使用する際は、図４ないし図６に示すように、作品の大きさ（カンバス２が小品、中品、大作のどれに該当するか）に応じて、上記したいずれかの突出部１２，１３，１４，１５の先端部をカンバス２に描かれた油絵２００よりも突出させた状態で取り付ける。各突出部１２，１３，１４，１５を突出させる長さは、油絵２００の表面から例えば約１〜１．５ｍｍ程度が適当である。
【００５７】
（作  用）
図７は、図３に示す絵画用スペーサ１を取り付けた張りカンバス４を額縁マット３に取り付けた状態を示す使用状態説明図、
図８は、図５に示すII−II部分に対応する断面の一部を示す部分拡大説明図であり、絵画用スペーサ１の作用を説明するための図である。
【００５８】
［作品が小品サイズの場合］
油絵２００を描いた後に、図１に示す絵画用スペーサ１を取り付ける。作品が小品サイズの場合は、図３及び図４に示すように第一突出部１２を油絵２００よりも突出させた状態で、絵画用スペーサ１を張りカンバス４の各側面４１に取り付けることが好ましい。本実施例では、張りカンバス４の各側面４１のほぼ中央に一個所ずつ（合計で四箇所）取り付けている。
【００５９】
そして、絵画用スペーサ１を取り付けた状態で、張りカンバス４を図７及び図８に示すように、額縁マット３の張りカンバス４を入れる部分である収容部３１中に入れて取り付ける。パネル体４と取り付けると、絵画用スペーサ１の第一突出部１２の先端部が、図８に示すように、額縁マット３の「刃先」と称される掛止部３２の裏面部３２１に当接し、油絵２００と額縁マット３との間隔が保たれる（油絵２００と額縁マット３の間に所要の隙間Ｓ（間隔）を設けることができる）。これによって、油絵２００が額縁マット３に接触することを防止できる。
【００６０】
このように、油絵２００が額縁マット３と接触しないので、作品の命とも言えるマチエールが額縁マット３に押されて変形するようなことはない。したがって、絵画用スペーサ１を使用することで、油絵２００が変形したり、損傷したりすることを防止できる。
【００６１】
また、絵画用スペーサ１の締付ネジ５１として皿ネジを使用しているので、締付ネジ５１の頭部が座ぐり１１ａと協働して絵画用スペーサ１の表面から出ない。これにより、絵画用スペーサ１の表面部のほぼ全体が額縁マット３の収容部３１内面に接触するようになり、締付ネジ５１の頭部だけが接触する場合と相違して、張りカンバス４（カンバス２を有するパネル体４）のガタつきを防止できる。
【００６２】
更に図８に示すように、絵画用スペーサ１の使用によって、油絵２００の周縁部２０１と額縁マット３との間に所要の隙間Ｓが形成されるので、油絵２００の周縁部２０１にも光が当たりやすくなると共に、周縁部２０１が外気と接触しやすくなる。これにより、油絵２００の周縁部２０１と他の部分との間に、光が当たる所と当たらない所の経年変色による境界線が形成されにくい。
【００６３】
また更に、従来の離型性能に優れたテープ（特許文献１参照）を使用する場合と相違して、絵画用スペーサ１は額縁マット３側ではなく、張りカンバス４に直接取り付ける。したがって、額縁マット３を新しく交換した場合でも、額縁マット３に絵画用スペーサ１を改めて付け直す必要はない。
【００６４】
［作品が中品サイズまたは大作サイズの場合］
また作品が中品である場合は、図５に示すように第二突出部１３を油絵２００から突出させた状態で取り付ける。更に作品が大作である場合は、図６に示すように第三突出部１４（または同じく第四突出部１５）を突出させた状態で取り付ける。その理由は以下のとおりである。
【００６５】
即ち、小品よりも中品、更には大作になるほど、必然的に額縁マット３の大きさは大きくなり、重量が重くなる。額縁マット３の重量が重くなれば、特に油絵を横に載置した際の絵画用スペーサ１にかかる負荷重量が大きくなる。負荷重量が大きくなると、例えばアトリエから展示会場まで油絵を運搬するときの振動によるがたつきの影響も大きくなる。
【００６６】
したがって、中品の場合は第二突出部１３（図５参照）で、大作の場合は第三突出部１４または第四突出部１５（図６参照）でというように、作品が大きくなるに伴って突出部の横幅が広い、即ち、額縁マット３との接触面積が広い突出部で額縁マット３を支持することが好ましい。接触面積を広くすることで、単位面積当たりに対する負荷重量を軽減することができ、突出部によって額縁マット３に凹み等の傷ができることを防止できる。また接触面積が広いので、運搬時等における額縁マット３に対するパネル体４のガタつきのの影響も小さくなる。ガタつきが小さくなれば、ネジ止めした締付ネジ５１の緩みも生じにくい。
【００６７】
更に、小品や中品についても、横幅が広い第三突出部１４または第四突出部１５を使用することも可能である。しかしながら、突出部の横幅が広いほど、パネル体４と額縁マット３との隙間から絵画用スペーサ１の突出部が見えるようになるので、小品は第一突出部１２（図４参照）を、中品は第二突出部１３（図５参照）を使用することが好ましい。
【００６８】
なお、絵画用スペーサ１は、上記のように油絵を描いた後に張りカンバス４に取り付けても良いし、油絵を描く前に張りカンバス４に予め取り付けておいても良い。更には、油絵を描く前に張りカンバス４に予め絵画用スペーサ１を取り付けておき、張りカンバス４と絵画用スペーサ１とを一緒にセット販売するような商品形態としても良い。
【００６９】
また油絵を描く際は、通常、張りカンバス４を画架（イゼールともいう）に載せ、場合によってはカンバス４の側面４１を画架のカンバス押えで押えて固定する。よって、絵画用スペーサ１を張りカンバス４の側面４１に予めに取り付けておく場合は、張りカンバス４のガタつきが生じないような位置に絵画用スペーサ１を取り付けることが好ましい。例えば、対向する側面４１，４１の各両端に絵画用スペーサ１をそれぞれ設けるようにする。このようにすれば、絵画用スペーサ１を介してカンバス４の両端が安定する、あるいはカンバス押えを使用している場合は、カンバス押えが絵画用スペーサ１を介してカンバス４の両端を押さえ付けるので、安定性が向上し、ガタつきが防止できる。
【００７０】
［油絵を乾燥させるときの使用］
図９は、油絵２００を重ねて乾燥させている状態を示す斜視説明図である。
絵画用スペーサ１を取り付けられた張りカンバス４は、同じサイズの張りカンバス４に油絵（図示省略）を描いた後、複数乾燥させる際に、図９に示すように、張りカンバス同士４，４を重ねて状態で積み重ねておくことができる。
【００７１】
即ち、例えば図４に示すように、絵画用スペーサ１は、第一突出部１２の先端部が油絵２００よりも突出させた状態で取り付けてある。したがって、図９に示すように、張りカンバス４の向きが同じにならないように、載置する角度を変えながら一方の張りカンバス４の上に他方の張りカンバス４を重ねる。このとき、一方（下方）の張りカンバス４の各絵画用スペーサ１の第一突出部１２で、他方（上方）の張りカンバス４を支持できるような位置に重ねる。つまり、各絵画用スペーサ１の第一突出部１２で上に重ねた張りカンバス４の枠体４３を支える。
【００７２】
このようにすれば、下方の油絵に上方の張りカンバス４が接触することを防止できるので、専用の乾燥棚等を使用しなくても、油絵を複数重ねた状態で乾燥させることができる。
【００７３】
なお、以上説明したように、本実施例では張りカンバス４を額縁マット９３に収容する場合を例に挙げて説明したが、額縁マット９３を使用しないで、パネル体４である張りカンバス４を額縁に取り付ける場合もあり得る。この場合は、張りカンバス４に取り付けた絵画用スペーサ１の突起部は額縁の収容部の内面に当接する。
【実施例２】
【００７４】
図１０は、本発明に係る絵画用スペーサ１の第２の実施例を説明するための図であり、張りカンバス４に絵画用スペーサ１を取り付けた状態を示す部分拡大説明図である。
【００７５】
なお、実施例１と同一または同等箇所には同一の符号を付して示している。また、実施例１で説明した箇所については、説明を省略し、主に相異点を説明する。これについては、後述する実施例以降についても同じである。
【００７６】
図１０に示す絵画用スペーサ１ａの場合は、張りカンバス４の側面４１に予め絵画用スペーサ１ａを取り付けておき、張りカンバス４と絵画用スペーサ１ａとを一緒にセット販売するような商品形態に適している。   
【００７７】
絵画用スペーサ１ａは、先端部がカンバス２に描かれる油絵２００より（カンバス２の油絵を描く面４２）よりも突出する突出部１２ａを備えている。そして、以下のような構成により、絵画用スペーサ１ａの取り付け向きを変えることによって、張りカンバス４の絵を描く面４２から突出する長さや幅を変えられるように構成されている。なお、図１０では、絵画用スペーサ１ａの向きを三段階で変えた状態をそれぞれ一点鎖線で示している。
【００７８】
即ち、絵画用スペーサ１ａは、例えば厚さ約１ｍｍの真鍮板を上記と同様に加工して平板状に形成されている。絵画用スペーサ１ａは、平面視で基部側に向かってややすぼまるようにして形成され、基端側が半円形状に形成されている。また絵画用スペーサ１ａの先端側は山形状に形成されており、この部分が上記した突出部１２ａを構成している。
【００７９】
絵画用スペーサ１ａの基端側の略中央には、基端側を中心として絵画用スペーサ１ａを回動可能な軸ピンである締付ネジ５２用のネジ孔（符号省略）が設けられている。そして、締付ネジ５２によって、絵画用スペーサ１ａは張りカンバス４の側面４１に取り付けてある。締付ネジ５２は皿ネジを使用しており、ネジ孔には座ぐりが設けてある。
【００８０】
符号１７で示す破線で表した円形状のものは、絵画用スペーサ１ａの本体と張りカンバス４の間に設けられたスペーサである。このスペーサ１７によって絵画用スペーサ１ａの基部側を張りカンバス４からやや浮かせた状態にし、絵画用スペーサ１ａの先部側が円滑に回動するようにしている。このスペーサ１７は、例えばプラスチック、ゴム、木、あるいは金属やそれらを組み合わせたもの等や、その他の材料で形成することができる。なお、このスペーサ１７は省略することもできる。
【００８１】
絵画用スペーサ１ａの長手方向の略中央部分には、締付ネジ５３用のネジ孔１８が設けてある。絵画用スペーサ１ａの取り付け向きが決まれば、このネジ孔１８から締付ネジ５３をパネル体４の所要の位置にネジ止めして、絵画用スペーサ１ａの向き（角度）を固定する。各締付ネジ５５３は皿ネジを使用しており、各ネジ孔１８には座ぐり１８ａが設けてある。
【００８２】
（作  用）
図１０を参照して、絵画用スペーサ１ａの作用を説明する。
この絵画用スペーサ１ａは、軸ピン５２を中心して回動させることにより、突出部１２ａをカンバス２の油絵を描く面４２よりも突出させたり、突出させなかったりすることができる。そして、上記したように、予め張りカンバス４に絵画用スペーサ１ａを取り付けておき、張りカンバス４と絵画用スペーサ１ａとを一緒にセット販売するような商品形態に適している。
【００８３】
即ち、図１０で実線で示すように、予め絵画用スペーサ１ａを張りカンバス４の側面４１に取り付けておく。このときは、突出部１２ａが張りカンバス４の油絵を描く面４２よりも突出しないようにしておく。そうすれば、絵を描く面４２の周縁部から絵画用スペーサ１ａが出っ張ることはないので、カンバス２に油絵を描きやすい。
【００８４】
そして、油絵を描いた後は、実施例１と同様に、カンバス２に描いた油絵の面よりも突出部が約１〜１．５ｍｍ程度出るように、絵画用スペーサ１ａを回動させ、ネジ孔１８にネジ止めして固定すると共に、軸ピン５２をきつくネジ止めする。このように、絵画用スペーサ１ａを回動させることによって、作品の油絵具の層の厚みに応じて適宜張りカンバス４の絵を描く面４２から突出する突出部１２ａの長さや幅を変えることができる。
【００８５】
更には、図９に示すように、制作後の絵画を重ねて乾燥させる場合も、絵を描く面４２から突出する突出部１２ａの長さをより長く調整すれば、重ねたパネル体４，４の間隔をより大きく開けることができる。その結果、各パネル体４，４の間に空気が流れやすくなり、乾燥が早くなる。
【００８６】
その他の構成及び作用・効果は、既に説明した実施例と同じか大体同じであるため、説明を省略する。
【実施例３】
【００８７】
図１１は、本発明に係る絵画用スペーサの第３の実施例を説明するための図であり、張りカンバス４に絵画用スペーサ１ｂを取り付けた状態を示す部分拡大説明図である。
【００８８】
図１１に示す絵画用スペーサ１ｂは、以下のような構成により、実施例２の絵画用スペーサ１ａ（図１０参照）と相違して、絵画用スペーサ１ｂを回動させるのではなく、取り付け位置をずらすことによって、張りカンバス４の絵を描く面４２から突出する突出部１２ｂの長さや幅を変えられるようになっている。なお、図１１では、絵画用スペーサ１ａの向きを三段階で変えた状態を一点鎖線と二点鎖線でそれぞれ示している。
【００８９】
即ち、絵画用スペーサ１ｂは、例えば厚さ約１ｍｍの真鍮板を上記と同様に加工して平板状に形成されている。絵画用スペーサ１ｂは、平面視で先端側である突出部１２ｂが山形状に形成されている。また絵画用スペーサ１ｂの基端側は、鍵状に（全体で櫛形状なるように）切り欠くようにして形成された切欠部である掛止部１９が所要数（本実施例では複数、六ヶ所）設けてある。掛止部１９の先端には締付ネジ５４用の座ぐり１９ａが設けてある。
【００９０】
そして、張りカンバス４の側面４１の所要の位置に予め取り付けられた締付ネジ５４に上記した掛止部１９を引っ掛けた後、改めて締付ネジ５４をきつくネジ止めすることで、絵画用スペーサ１ｂを所要の位置に固定することができる。張りカンバス４には、締付ネジ５４，５４が所要間隔をおいて二箇所設けてある。この締付ネジ５４に対応するように、上記した掛止部１９は、スペーサ本体の長さ方向に上下に段を変えてそれぞれ三個所ずつ、合計で六個所設けてある。
【００９１】
このように、この締付ネジ５１に対する掛止部１９の位置を変えることにより、張りカンバス４の絵を描く面から突出する突出部の長さや幅を変えられるようになっている。
なお、上記した締付ネジ５１の数や掛止部１９の数は、特に限定されず、締付ネジ５１は二以上でも良く、掛止部１９は六個所未満でも七個所以上でも良い。
【００９２】
また仮に締付ネジ５１が緩んでも、絵画用スペーサ１が張りカンバス４から簡単に外れないように、各掛止部１９を切欠部ではなく、全体を枠で囲まれた連通部を有する長孔（図示省略）で構成することもできる。
【００９３】
その他の構成及び作用・効果は、既に説明した実施例と同じか大体同じであるため、説明を省略する。
【実施例４】
【００９４】
図１２は、本発明に係る絵画用スペーサ１の第４の実施例を説明するための図であり、張りカンバス４に絵画用スペーサ１ｃを取り付けた状態を示す部分拡大説明図である。
【００９５】
図１２に示す絵画用スペーサ１ｃは、以下のような構成により、実施例３の絵画用スペーサ１ａ（図１１参照）と相違して、締付ネジ５４を掛止する掛止部１９ｃが絵画用スペーサ１ｃの内部中央付近に切り欠いた状態で設けてある。掛止部１９ｃの内周縁には締付ネジ５４用の座ぐり１９１ｃが設けてある。
【００９６】
即ち、絵画用スペーサ１ｃは、例えば厚さ約１ｍｍの真鍮板を上記と同様に加工して平面視正三角形状に形成されている。絵画用スペーサ１ｃの角部分が額縁マットに当たる突出部１２ｃを構成する。この突出部１２ｃは、角張らないように円弧状に丸く形成されている。絵画用スペーサ１ｃのほぼ中央付近には、鍵状に切り欠くようにして形成された孔である上記した掛止部１９ｃが所要数（本実施例では複数、高さ方向に左右三個所ずつ、合計六個所）設けてある。また、張りカンバス４には、締付ネジ５４が所要間隔をおいて二箇所設けてある。
【００９７】
この締付ネジ５４に対する掛止部１９ｃの位置を調整しながら、張りカンバス４に対する絵画用スペーサ１ｃの位置を変えることにより、張りカンバス４の絵を描く面４２から突出する突出部の長さや幅を変えられるようになっている。
その他の構成及び作用・効果は、既に説明した実施例の形態と大体において同じであるため、説明を省略する。
【００９８】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【００９９】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【０１００】
【図１】絵画用スペーサの第１の実施例を示す平面視説明図。
【図２】図１に示す絵画用スペーサ１のI−I部分に対応する断面を示す概略説明図。
【図３】カンバス２が張られた小品サイズのパネル体４に絵画用スペーサ１を取り付けた状態を示す斜視説明図。
【図４】絵画用スペーサ１を主に拡大して表した図３の部分拡大側面視説明図。
【図５】カンバス２が張られた中品サイズのパネル体４に絵画用スペーサ１を取り付けた状態を示す部分拡大側面視説明図。
【図６】カンバス２が張られた大品サイズのパネル体４に絵画用スペーサ１を取り付けた状態を示す部分拡大側面視説明図。
【図７】図３に示す絵画用スペーサ１を取り付けた張りカンバス４を額縁マット３に取り付けた状態を示す使用状態説明図。
【図８】図５に示すII−II部分に対応する断面の一部を示す部分拡大説明図であり、絵画用スペーサ１の作用を説明するための図。
【図９】油絵２００を重ねて乾燥させている状態を示す斜視説明図。
【図１０】本発明に係る絵画用スペーサ１の第２の実施例を説明するための図であり、張りカンバス４に絵画用スペーサ１を取り付けた状態を示す部分拡大説明図。
【図１１】本発明に係る絵画用スペーサ１ａの第３の実施例を説明するための図であり、張りカンバス４に絵画用スペーサ１ｂを取り付けた状態を示す部分拡大説明図。
【図１２】本発明に係る絵画用スペーサ１ａの第４の実施例を説明するための図であり、張りカンバス４に絵画用スペーサ１ｃを取り付けた状態を示す部分拡大説明図。
【図１３】カンバス９１が張られた張り枠９２と、これらを額縁９５に収めるために使用される額縁マット９３を説明するための部分拡大断面説明図。
【符号の説明】
【０１０１】
１，１ａ，１ｂ，１ｃ  絵画用スペーサ
２  カンバス
３  額縁マット
４  張りカンバス（パネル体）
１１  ネジ孔
１１ａ  座ぐり
１２  第一突出部
１２ａ，１２ｂ，１２ｃ  突出部
１３  第二突出部
１４  第三突出部
１５  第四突出部
１６  ネジ孔
１７  スペーサ
１８  ネジ孔
１８ａ  座ぐり
１９，１９ｃ  掛止部
３１  収容部
３２  掛止部
４１  側面
４２  油絵を描く面
４３  枠体
５１，５２  締付ネジ
５２  軸ピン
５３，５４  締付ネジ
２００  油絵
２０１  周縁部
３２１  裏面部
Ｓ  隙間
【図１】
2007202774.tif 000003
【図２】
2007202774.tif 000004
【図３】
2007202774.tif 000005
【図４】
2007202774.tif 000006
【図５】
2007202774.tif 000007
【図６】
2007202774.tif 000008
【図７】
2007202774.tif 000009
【図８】
2007202774.tif 000010
【図９】
2007202774.tif 000011
【図１０】
2007202774.tif 000012
【図１１】
2007202774.tif 000013
【図１２】
2007202774.tif 000014
【図１３】
2007202774.tif 000015